(57)【要約】【課題】ガイドレールの曲がり部を部分的に交換することができるテンタークリップ走行装置におけるガイドレール構造を提供する。【解決手段】フイルムを把持して走行するテンタークリップ本体３と、該テンタークリップ本体３の走行を案内するガイドレール２とを備え、上記テンタークリップ本体３に、該テンタークリップ本体３の自重及び横振れ、水平方向引張力を夫々受け持つように前記ガイドレール２の上部及び両側面に沿って走行するベアリングを設けたテンタークリップ走行装置に於いて、前記ガイドレール２の曲がり部Ａに設けられたレールの一部２１を交換可能に構成した構造。【選択図】      図４
2005053600.tif 000002
【特許請求の範囲】
【請求項１】
フイルムを把持して走行するテンタークリップ本体と、該テンタークリップ本体の走行を案内するガイドレールとを備え、上記テンタークリップ本体に、該テンタークリップ本体の自重及び横振れ、水平方向引張力を夫々受け持つように前記ガイドレールの上部及び両側面に沿って走行するベアリングを設けたテンタークリップ走行装置に於いて、前記ガイドレールの曲がり部に設けられたレールの一部を交換可能に構成したことを特徴とするテンタークリップ走行装置におけるガイドレール構造。
【請求項２】
前記交換可能なレールの一部に、互いに対向するレール相互間で長手方向に組み合わせ可能な継ぎ手部を設けたことを特徴とする請求項１に記載のテンタークリップ走行装置におけるガイドレール構造。
【請求項３】
前記ガイドレールを、厚み方向に複数枚の薄板を積層して構成し、該薄板相互間を締結手段で締結したことを特徴とする請求項１または２に記載のテンタークリップ走行装置におけるガイドレール構造。
【請求項４】
前記テンタークリップ走行装置のベアリングと接触する前記ガイドレールの表面に耐磨耗処理を施したことを特徴とする請求項１ないし３のいずれか１項に記載のテンタークリップ走行装置おけるガイドレール構造。
【発明の詳細な説明】
【０００１】
【発明の属する技術分野】
本発明は、プラスチックフィルムをその送り方向と直交する横方向へ延伸する横延伸機のテンタークリップ走行装置におけるガイドレール構造に関する。
【０００２】
【従来の技術】
一般に、プラスチックフィルムの横延伸機は、フィルムの両側をそれぞれ把持する左右各複数対のテンタークリップと、各テンタークリップの走行を案内する左右一対のガイドレールとからなるテンタークリップ走行装置を備えている。
【０００３】
ガイドレールには、両ガイドレール間の間隔をフィルムの走行方向に沿って徐々に拡大する横延伸ガイド部（拡幅部）が形成されている。そして、テンタークリップによってフィルムの両側の耳部をそれぞれ把持した状態でテンタークリップをガイドレール上を走行させるもので、ガイドレールの横延伸ガイド部上を各テンタークリップが走行する際に、フィルムを横方向へ延伸するようになっている。
【０００４】
また、ガイドレールは、直線部のレール構成体が通常、５０ｍの長さに及びフィルムの走行方向に沿って他のレール構成体と直列に連結されて構成されている。
【０００５】
上記テンタークリップ本体には、ガイドレールの上に配置される自重受け用ベアリングと、ガイドレールの両側面に配置される横振れ防止用のベアリングとが設けられている。各クリップには、ローラチェーンが取り付けられて、各テンタークリップが連結されている。
【０００６】
そして、横延伸機の駆動時には、各テンタークリップによってフィルムの両側の耳部をそれぞれ把持させた状態で、ローラチェーンを介してガイドレール上の各テンタークリップが駆動されるようになっている。このとき、ガイドレールの横延伸ガイド部上を走行する各テンタークリップの走行に伴いフィルムを横方向へ延伸するようになっている。
【０００７】
【特許文献１】特開平６−６４０３３号公報
【特許文献２】実公昭６３−４５２９７号公報
【０００８】
【発明が解決しようとする課題】
このように、ガイドレールのレール構成体は、テンタークリップの走行をスムーズに行うため、連結部が少ないほうが好ましく、全長約５０ｍ余りにも及ぶものがある。また、拡幅部等の曲がり部では、使用によるガイドレール構成体の磨耗も激しく、そのつど交換を余儀なくされることになっていた。拡幅部等の曲がり部では、チェーン張力の分力が作用し、ガイドレール構成体の磨耗も激しくなる。したがって、ガイドレールのレール構成体の交換作業が煩雑であり、多大なメンテナンス経費を要する。
【０００９】
本発明は、上記課題を解決し、ガイドレールの曲がり部を部分的に交換することができるテンタークリップ走行装置におけるガイドレール構造を提供することを目的とする。
【００１０】
【課題を解決するための手段】
本発明は、上記課題を解決するため、フイルムを把持して走行するテンタークリップ本体と、該テンタークリップ本体の走行を案内するガイドレールとを備え、上記テンタークリップ本体に、該テンタークリップ本体の自重及び横振れ、水平方向引張力を夫々受け持つように前記ガイドレールの上部及び両側面に沿って走行するベアリングを設けたテンタークリップ走行装置に於いて、前記ガイドレールの曲がり部に設けられたレールの一部を交換可能に構成したことにある。
また、本発明は、前記交換可能なレールの一部に、互いに対向するレール相互間で長手方向に組み合わせ可能な継ぎ手部を設けたことにある。
さらに、本発明は、前記ガイドレールを、厚み方向に複数枚の薄板を積層して構成し、該薄板相互間を締結手段で締結したことにある。
またさらに、本発明は、前記テンタークリップ走行装置のベアリングと接触する前記ガイドレールの表面に耐磨耗処理を施したことにある。
【００１１】
【発明の実施の形態】
以下図示の実施の形態を図面を参照しながら詳細に説明する。
図１は、プラスチックフィルムの横延伸機を示し、図２は横延伸機に内装されたガイドレールを示す。図３はガイドレールに装備されるテンタークリップ走行装置を示す。
図１および図２において、横延伸機１には、図示左側に、フィルムを受け入れるフィルム入り口１ａが、右側に横延伸されたフィルムの出口１ｂが設けられている。このフィルム入り口１ａとフィルムの出口１ｂとの間に横延伸されるフィルムの走行路が形成されている。
【００１２】
上記横延伸機１には、長手方向に沿って図２に示すような左右一対のガイドレール２と、図３に示すような、各ガイドレール２にそれぞれ複数装着されるテンタークリップ３が設けられている。
【００１３】
上記テンタークリップ３には、テンタークリップ本体４と、駆動チェーン（図示せず）が設けられている。ここでテンタークリップ本体４には、クリップ台５の上側に左右一対のレバー支持体６が設けられ、このレバー支持体６間には、フィルムをクリップするクリップレバー７が回動可能に軸支されている。
【００１４】
テンタークリップ本体４には、１つの自重受け用ベアリング８と、複数の横振れ防止用ベアリング９ａ，９ｂ，９ｃとが設けられている。自重受け用ベアリング８はガイドレール２の上面に沿って転動し、テンタークリップ本体４に作用する垂直方向荷重を受けるようにしている。横振れ防止用ベアリング９ａ，９ｂ，９ｃは、ガイドレール２の側面に沿って転動し、テンタークリップ本体４に作用する水平方向荷重を受けるようになっている。
【００１５】
ガイドレール２は、鋳物レール１０と、縦置きに配置される鋼板レール１１とを組み合わせて構成されている。鋼板レール１１は、弾撥力のある複数の薄板１１ａを厚み方向に積層して構成されており、ボルト及びナットを介して互いに一体に組み立てられている。
【００１６】
このガイドレール２には、両ガイドレール２間の間隔をフィルムの走行方向に沿って徐々に拡大する横延伸ガイド部（拡幅部）２ａが設けられており、この横延伸ガイド部（拡幅部）２ａの曲がり部Ａでは、レールの一部を交換可能に短く形成されている。
この曲がり部Ａに設けられる交換可能なレール２１は、例えば、図４に示すような構造に形成されている。
この交換可能なレール２１の両端部には、両側のレール２０，２２に対して突き合わせて連結可能な継ぎ手部２１ａ，２１ｂが設けられている。
継ぎ手部２１ａはレール２０の継ぎ手部２０ｂと連結可能に形成され、継ぎ手部２１ｂはレール２２の継ぎ手部２２ａと連結可能に形成されている。
【００１７】
曲がり部Ａの交換可能なレール２１は、図４に示すように、例えば、弾性を有する４枚の薄板２１Ａ，２１Ｂ，２１Ｃ，２１Ｄを積層して形成されており、４枚の薄板２１Ａ，２１Ｂ，２１Ｃ，２１Ｄの所定箇所に形成された貫通孔を通してボルト１２およびナットにより互いに締結されている。このボルト１２およびナットによって締結する箇所は、必要に応じて１箇所または複数箇所に形成されている。
【００１８】
交換可能なレール２１の継ぎ手部２１ａ，２１ｂの構造を説明すると、外側の薄板２１Ａ，２１Ｄの一端部には、突出部２１Ａａ、２１Ｄａが形成され、他端部には、切欠き部２１Ａｂ、２１Ｄｂが形成されている。また、内側の薄板２１Ｂ，２１Ｃの一端部には、外側の薄板２１Ａ，２１Ｄの突出部２１Ａａ、２１Ｄａに対して凹んだ端面２１Ｂｃ，２１Ｃｃに形成され、他端部には、外側の薄板２１Ａ，２１Ｄの切欠き部２１Ａｂ、２１Ｄｂに対して突出部２１Ｂｄ，２１Ｃｄが形成されている。
【００１９】
上記交換可能なレール２１の両側のレール２０と、レール２２も同様に、４枚の薄板２０Ａ，２０Ｂ，２０Ｃ，２０Ｄ、および薄板２２Ａ，２２Ｂ，２２Ｃ，２２Ｄを積層して形成されている。４枚の薄板２０Ａ，２０Ｂ，２０Ｃ，２０Ｄもボルト１２およびナット（図示せず。）により一体に組み立てられている。
また、薄板２２Ａ，２２Ｂ，２２Ｃ，２２Ｄも同様にして一体に組み立てられている。
【００２０】
交換可能なレール２１の継ぎ手部２１ａが連結されるレール２０の継ぎ手部２０ｂは、薄板２０Ａ，２０Ｄの端部に、交換可能なレール２１の突出部２１Ａａ、２１Ｄａに係合する切欠き部２０Ａｂ，２０Ｄｂが形成されている。
交換可能なレール２１の継ぎ手部２１ｂが連結されるレール２２の継ぎ手部２２ａは、薄板２２Ａ，２２Ｄの端部に、交換可能なレール２１の切欠き部２１Ａｂ、２１Ｄｂに係合する突出部２２Ａａ，２２Ｄａが形成されている。また、薄板２２Ｂ，２２Ｃの端部には、交換可能なレール２１の突出部２１Ｂｄ、２１Ｃｄに係合する切欠き部２２Ｂｃ，２２Ｃｃが形成されている。              また、内側の薄板２２Ｂ，２２Ｃの一端部には、外側の薄板２２Ａ，２２Ｄの突出部２２Ａａ、２２Ｄａに対して凹んだ端面２２Ｂｃ，２２Ｃｃに形成され、薄板２１Ｂ，２１Ｃの突出部２１Ｂｄ，２１Ｃｄが組み合わさるように形成されている。図４に示された１３は交換可能なレール２１およびレール２２に設けられたレール膨張時の逃げである。
【００２１】
また、交換可能なレール２１には、４枚の薄板２１Ａ，２１Ｂ，２１Ｃ，２１Ｄのうち外側の薄板２１Ａ，２１Ｄに対して、少なくとも表面側に耐摩耗性の処理が施されている。交換可能なレール２１は、４枚の薄板２１Ａ，２１Ｂ，２１Ｃ，２１Ｄで分割構造に形成されているので、耐磨耗処理として、浸炭、窒化、表面焼入れ等の施工が行われている。耐磨耗処理は、４枚の薄板２１Ａ，２１Ｂ，２１Ｃ，２１Ｄ総てに施してもよく、また、他のレール２０，２２の表面側などに対して施しても良い。
【００２２】
上記構成によると、ガイドレール２には、両ガイドレール２間の間隔をフィルムの走行方向に沿って徐々に拡大する横延伸ガイド部（拡幅部）２ａが形成されている。そして、テンタークリップ３によってフィルムの両側の耳部をそれぞれ把持した状態で、ガイドレール２の横延伸ガイド部２ａ上を走行する各テンタークリップ３の走行にともないフィルムを横方向へ延伸するようになっている。
【００２３】
そして、横延伸機１の使用によって、横延伸ガイド部（拡幅部）２ａの曲がり部Ａは、痛みが早く、交換が余儀なくされる。
曲がり部Ａの交換可能なレール２１が磨耗した場合には、交換可能なレール２１を両側のレール２０，２２部に対して交換することが出来る。交換に際しては、ボルト１２を外すことで、４枚の薄板２１Ａ，２１Ｂ，２１Ｃ，２１Ｄは、弾性を有しているので自在に曲げることができ、長手方向に引くことによって容易に外すことができる。そして、４枚の薄板２１Ａ，２１Ｂ，２１Ｃ，２１Ｄからなる新しいレール２１を両側のレール２０，２２間に接続して交換することができる。交換に際しても、ボルト１２を外すことで、４枚の薄板２１Ａ，２１Ｂ，２１Ｃ，２１Ｄは、弾性を有しているので自在に曲げることができ、長手方向に引きながら反発力を利用して両側のレール２０，２２に組付けることができる。
【００２４】
このように、上記実施の形態によれば、交換可能なレール２１は、４枚の薄板２１Ａ，２１Ｂ，２１Ｃ，２１Ｄで分割構造に形成されているので、組付け、取り外しを容易に行うことができる。また、交換可能なレール２１は、分割構造に形成されているので、耐磨耗処理として、浸炭、窒化、表面焼入れ等の施工を行うことができ、耐久性の向上を図ることができる。
【００２５】
なお、上記実施の形態では、横延伸ガイド部（拡幅部）２ａの曲がり部Ａに対して交換可能なレール２１を適用したが、例えば、図２のＢ部，Ｃ部，Ｄ部など、他の曲がり部の箇所にも適用することができる。また、交換可能なレール２１の継ぎ手部２１ａ，２１ｂとしては、上記実施の形態の構造に限定されるものではなく、各種の継ぎ手構造を採用することができる。さらに、薄板の枚数も４枚に限定されるものではなく、鋼板の厚さによって２枚、６枚などの他の枚数に変えてもよい。また、４枚の薄板を締結する手段としてボルト１３およびナットを用いたが、他の締結手段を用いることもできる。さらに、上記実施の形態では、交換可能なレール２１に接続するレール２０，２２についても４枚の薄板で構成する場合について説明したが、１本のレールに継ぎ手部のみを設けるようにしてもよい。その他、本発明の要旨を変更しない範囲内で適宜変更して実施しうることは言うまでもない。
【００２６】
【発明の効果】
以上述べたように本発明によるテンタークリップ走行装置におけるガイドレール構造によれば、以下の効果を奏することができる。
本発明は、フイルムを把持して走行するテンタークリップ本体と、該テンタークリップ本体の走行を案内するガイドレールとを備え、上記テンタークリップ本体に、該テンタークリップ本体の自重及び横振れ、水平方向引張力を夫々受け持つように前記ガイドレールの上部及び両側面に沿って走行するベアリングを設けたテンタークリップ走行装置に於いて、前記ガイドレールの曲がり部に設けられたレールの一部を交換可能に構成したので、磨耗の激しい部分のみを部分的に交換することができることから、作業能率の向上が図れ、メンテナンス費用の削減を図ることができる。
また、本発明は、前記交換可能なレールの一部に、互いに対向するレール相互間で長手方向に組み合わせ可能な継ぎ手部を設けたので、継ぎ手部を介してレールの一部を部分的に交換することができる。
さらに、本発明は、前記ガイドレールを、厚み方向に複数枚の薄板を積層して構成し、該薄板相互間を締結手段で締結したので、締結手段を外すことにより薄板を厚み方向に移動させることができることから、取り外し、組付けを容易に行うことができる。
またさらに、本発明は、前記テンタークリップ走行装置のベアリングと接触する前記ガイドレールの表面に耐磨耗処理を施したので、耐久性の向上を図ることができる。交換可能なレールは、複数枚の薄板で分割構造に形成されているので、耐磨耗処理として、浸炭、窒化、表面焼入れ等の施工を行うことができる。
【図面の簡単な説明】
【図１】本発明の実施の形態によるプラスチックフィルムの横延伸機を示す概念斜視図である。
【図２】図１の横延伸機に内装されるガイドレールを示す概念図である。
【図３】図１の横延伸機に内装されるテンタークリップ走行装置を示す斜視図である。
【図４】本発明の実施の形態によるテンタークリップ走行装置におけるガイドレール構造を概念的に示す斜視図である。
【符号の説明】
１    横延伸機
２    ガイドレール
２ａ    横延伸ガイド部（拡幅部）
３    テンタークリップ
４    クリップ本体
８    自重受け用ベアリング
９ａ，９ｂ，９ｃ    横振れ防止用ベアリング
１０    鋳物レール
１１    鋼板レール
１２    ボルト（締結手段）
２１    交換可能なレール
２２，２３    レール
２１Ａ，２１Ｂ，２１Ｃ，２１Ｄ    薄板
２１ａ，２１ｂ    継ぎ手部
Ａ    曲がり部
【図１】
2005053600.tif 000003
【図２】
2005053600.tif 000004
【図３】
2005053600.tif 000005
【図４】
2005053600.tif 000006